(57)【特許請求の範囲】
【請求項１】
エレベータのかご室壁面を形成する壁パネルと所定の間隔を有して配置された手摺と、
前記壁パネルに設けられた座金と、
大径部からなる一端部が前記手摺に設けられ、小径部からなる他端部が前記座金及び前記壁パネルを貫通してかご室壁面の裏側に配置された手摺支持軸と、
前記手摺支持軸を反手摺側に付勢することにより、前記手摺支持軸の大径部と小径部との境界にある段差を前記座金の側面にかご室内側から接触させる付勢体と
を備えたことを特徴とするエレベータのかご室手摺装置。
【請求項２】
前記壁パネルに設けられ、前記手摺支持軸の小径部が貫通する支持ブラケットと、
前記手摺支持軸の他端部に設けられ、前記手摺支持軸が貫通する前記座金の貫通孔の径よりも大きな径を有する抜け止め板と、
を備え、
前記付勢体は、前記支持ブラケット及び前記抜け止め板間に配置されたことを特徴とする請求項１に記載のエレベータのかご室手摺装置。
【発明の詳細な説明】
【技術分野】
【０００１】
この発明は、エレベータのかご室内に設置された可動式手摺装置に関するものである。
【背景技術】
【０００２】
エレベータ装置には、かご室内に手摺装置が設置されたものがある。かかる手摺装置の従来技術には、かご室内の乗客が把持する手摺棒と、この手摺棒をかご室壁面に固定する支持具とを備え、支持具のかご室壁面への取り付け、及び、手摺棒の支持具への取り付けをかご室内から行うことができるように構成するとともに、上記取り付けに際し使用した締結ネジをかご室内の利用者から見えないように配置したものが提案されている（例えば、特許文献１参照）。
【０００３】
【特許文献１】特開平７−９７１６３号公報
【発明の開示】
【発明が解決しようとする課題】
【０００４】
特許文献１記載の手摺装置を含め、かご室内に設置された従来の手摺装置は、手摺（棒）とかご室壁面との間に３０〜４５ｍｍ程度の隙間が形成されるように固定されていた。しかし、上記隙間に子供の手や腕、肘等が挟まり抜けなくなってしまうと、挟まれた腕等を外すために手摺装置を分解する必要があった。かかる場合、腕等を挟まれた子供に怪我を負わせる恐れはないが、結果的に乗客がかご室内に閉じ込めてしまうとともに、救出に手間と時間とを要してエレベータ運行に支障をきたすといった問題が生じていた。
【０００５】
この発明は、上述のような課題を解決するためになされたもので、その目的は、手摺とかご室壁面との隙間に子供の腕等が挟まれた場合でも、挟まれた腕等を手摺から容易に取り外すことができるエレベータのかご室手摺装置を提供することである。
【課題を解決するための手段】
【０００６】
この発明に係るエレベータのかご室手摺装置は、エレベータのかご室壁面を形成する壁パネルと所定の間隔を有して配置された手摺と、壁パネルに設けられた座金と、大径部からなる一端部が手摺に設けられ、小径部からなる他端部が座金及び壁パネルを貫通してかご室壁面の裏側に配置された手摺支持軸と、手摺支持軸を反手摺側に付勢することにより、手摺支持軸の大径部と小径部との境界にある段差を座金の側面にかご室内側から接触させる付勢体とを備えたものである。
【発明の効果】
【０００７】
この発明に係るエレベータのかご室手摺装置であれば、手摺とかご室壁面との隙間に子供の腕等が挟まれた場合でも、挟まれた腕等を手摺から容易に取り外すことができる。
【発明を実施するための最良の形態】
【０００８】
この発明をより詳細に説明するため、添付の図面に従ってこれを説明する。なお、各図中、同一又は相当する部分には同一の符号を付しており、その重複説明は適宜に簡略化ないし省略する。
【０００９】
実施の形態１．
図１はこの発明におけるエレベータのかご室内を示す正面図、図２は図１に示すかご室の実施の形態１におけるＡ−Ａ断面図である。図１及び図２において、１はエレベータのかご室の床面を形成する床板、２はかご室の奥側の壁面を形成する壁パネル、３はかご室の出入口から見て右側の壁面を形成する壁パネル、４はかご室の出入口から見て左側の壁面を形成する壁パネル、５乃至７は奥側の壁パネル２、右側の壁パネル３、左側の壁パネル４と床板１との間にそれぞれ設けられた巾木、８乃至１０は奥側の壁パネル２、右側の壁パネル３、左側の壁パネル４にそれぞれ設けられ、かご室床面から所定の高さに水平に配置された手摺装置である。なお、奥側の手摺装置８、右側の手摺装置９、左側の手摺装置１０は、同一の構成により各壁パネル２乃至４にそれぞれ設けられている。
【００１０】
奥側の壁パネル２に設けられた上記手摺装置８は、かご室内の乗客が把持するように、かご室壁面を形成する壁パネル２と所定の間隔を有してかご室内の所定の高さに水平に配置された手摺１１と、一端部がかご室内に配置された手摺１１に設けられ、他端部が壁パネル２を貫通してこの壁パネル２の裏側に突出するように配置された複数の手摺支持軸１２と、壁パネル２に設けられ、手摺支持軸１２をその軸方向に所定距離移動自在に支持する支持手段１３とから構成される。
【００１１】
壁パネル２のかご室壁面側には、所定の高さに複数の座金１４が設けられており、この座金１４と壁パネル２とに渡って貫通孔１５が形成されている。そして、上記手摺支持軸１２は、上記貫通孔１５よりも大きな直径を有するように一端部側に形成された大径部１２ａと、貫通孔１５よりも僅かに小さな直径を有するように他端部側に形成された小径部１２ｂとから構成され、小径部１２ｂが貫通孔１５にかご室内側から挿通されて、大径部１２ａと小径部１２ｂとの境界にある段差が座金１４のかご室内側側面に接触するように配置されている。
【００１２】
また、壁パネル２の裏面側に配置された手摺支持軸１２の小径部１２ｂには、中間部に複数（実施の形態１においては２つ）の溝１６ａ及び１６ｂが軸方向と直交する方向に形成され、他端部に貫通孔１５の直径より大きな直径を有する抜け止め板１７がボルト１８によって締結固定されている。ここで、上記溝１６ａ及び１６ｂは、双方とも断面が円弧状を呈しており、一端部側の溝１６ａが壁パネル２から所定の距離Ｂだけ離れた位置に、また、他端部側の溝１６ｂが溝１６ａから所定の距離Ｃだけ離れた位置に形成されている。
【００１３】
一方、手摺支持軸１２を支持する上記支持手段１３は、手摺支持軸１２の一端部側を支持する前述した座金１４と、かご室内の乗客から見ないように壁パネル２の裏面側に設けられて、手摺支持軸１２の他端部側を支持する支持ブラケット１９と、手摺支持軸１２に形成された溝１６ａ又は１６ｂに係合することにより、軸方向に移動自在に構成された手摺支持軸１２を常時に所定位置から動かないようにする手摺位置保持手段２０とから構成される。
【００１４】
上記支持ブラケット１９は、対向面が上下に配置されるようにその一部が略コ字状に曲成されるとともに、下側対向面の端部が下方に向かって突出するように曲成されている。この支持ブラケット１９には、手摺支持軸１２の小径部１２ｂの直上部となる上下対向面に貫通孔１９ａ及び１９ｂが略一直線状に形成され、また、下側対向面から下方に垂設された下端部に、手摺支持軸１２の小径部１２ｂの直径より僅かに大きな直径を有する貫通孔１９ｃが形成されている。そして、手摺支持軸１２は、小径部１２ｂが上記貫通孔１９ｃに挿通されることにより、その他端部側が支持されている。なお、上記支持ブラケット１９は、手摺支持軸１２を支持する下端部及び抜け止め板１７間の距離が、溝１６ａ及び１６ｂ間の距離Ｃよりも大きくなるように配置されている。
【００１５】
また、上記手摺位置保持手段２０には、支持ブラケット１９の上下対向面に形成された貫通孔１９ａ及び１９ｂに挿通されて、球面状を呈するその下端部が溝１６ａに対して上方から係合する係合ピン２１（係合体）と、係合ピン２１の軸に形成されたネジ部に螺嵌されて支持ブラケット１９のコ字状部内に配置された２つのナット２２と、中空部に係合ピン２１が挿通されてナット２２の上面に載置されたリング座金２３と、中空部に係合ピン２１が挿通されて支持ブラケット１９の上側対向面及びリング座金２３間に配置されることにより、係合ピン２１を溝１６ａ側となる下方に常時付勢する付勢バネ２４（付勢体）とが備えられている。
【００１６】
そして、上記付勢バネ２４は、係合ピン２１を溝１６ａ側に付勢することにより、常時に手摺支持軸１２を所定位置に係止させている。なお、手摺支持軸１２の一端部側に形成された溝１６ａは、係止ピン２１が上方から係合した際に、手摺１１及び壁パネル２間の距離Ｄが３０〜４５ｍｍ程度となるように設けられている。
【００１７】
ここで、上記構成を有する手摺装置８において、手摺１１と壁パネル２との間に子供の腕等が挟まってしまった場合には、手摺１１をかご室内側に引っ張ることにより、手摺１１と壁パネル２との間に挟まれた子供の腕等を外すことが可能となる。即ち、手摺１１をかご室内側に引っ張ることにより、係合ピン２１は、その下端部が溝１６ａの湾曲面に案内されて上方に付勢される。ここで、手摺１１に対する引張力が所定値以上となると、係合ピン２１が溝１６ａの縁部を乗り越えて係合状態が解除される。かかる状態においては、手摺支持軸１２の外周面に段差がないため、手摺１１を容易にかご室内側に移動させて、挟まった子供の腕等を外すことができる。
【００１８】
なお、係合ピン２１を下方に付勢する付勢バネ２４の付勢力は、ナット２２の位置により容易に調整可能であるため、救出に必要な引張力を手摺装置８の大きさ等に合わせて容易に変更することができる。また、図３は、係合ピン２１が溝１６ｂに係合するまで手摺１１をかご室内側に引っ張った状態を示したものである。図３に示す状態では、手摺１１及び壁パネル２間の距離Ｄ´は、手摺１１を移動させる前の手摺１１及び壁パネル２間の距離Ｄよりも、溝１６ａ及び１６ｂ間の距離Ｃだけ広がっている。
【００１９】
この発明の実施の形態１によれば、手摺１１とかご室壁面との間に形成される隙間に子供の腕等が挟まれてしまった場合でも、手摺１１をかご室内側に移動させることにより、挟まれた子供の腕等を容易に外すことが可能となる。したがって、救出に手間と時間とを必要とせず、エレベータの運行に支障をきたすといった問題も解消することが可能となる。
【００２０】
実施の形態２．
図４は図１に示すかご室の実施の形態２におけるＡ−Ａ断面図である。図４において、奥側の壁パネル２に設けられた上記手摺装置８は、実施の形態１と同様に、かご室内の乗客が把持するように、かご室壁面を形成する壁パネル２と所定の間隔を有してかご室内の所定の高さに水平に配置された手摺１１と、一端部がかご室内に配置された手摺１１に設けられ、他端部が壁パネル２を貫通してこの壁パネル２の裏側に突出するように配置された複数の手摺支持軸１２と、壁パネル２に設けられ、手摺支持軸１２をその軸方向に所定距離移動自在に支持する支持手段１３とから構成される。
【００２１】
壁パネル２のかご室壁面側には、所定の高さに複数の座金１４が設けられており、この座金１４と壁パネル２とに渡って貫通孔１５が形成されている。そして、手摺支持軸１２の小径部１２ｂが貫通孔１５にかご室内側から挿通されて、大径部１２ａと小径部１２ｂとの境界にある段差が座金１４のかご室内側側面に接触するように配置されている。また、壁パネル２の裏面側に配置された手摺支持軸１２の小径部１２ｂには、その他端部に貫通孔１５の直径より大きな直径を有する抜け止め板１７がボルト１８によって締結固定されている。
【００２２】
一方、手摺支持軸１２を支持する上記支持手段１３は、手摺支持軸１２の一端部側を支持する前述した座金１４と、かご室内の乗客から見ないように壁パネル２の裏面側に設けられて、手摺支持軸１２の他端部側を支持する支持ブラケット２５と、軸方向に移動自在に構成された手摺支持軸１２を常時に所定位置から動かないようにする手摺位置保持手段２６とから構成される。
【００２３】
上記支持ブラケット２５は、略Ｚ字状に曲成されて、上端部が壁パネル２の裏面側に固定されるとともに、その下端部には、手摺支持軸１２の小径部１２ｂの直径より僅かに大きな直径を有する貫通孔２５ａが形成されている。そして、手摺支持軸１２は、小径部１２ｂが上記貫通孔２５ａに挿通されることにより、その他端部側が支持されている。
【００２４】
また、上記手摺位置保持手段２６は、中空部に手摺支持軸１２の小径部１２ｂが挿通されて支持ブラケット２５及び抜け止め板１７間に配置されることにより、手摺支持軸１２を常時反手摺１１側に付勢する付勢バネ２７（付勢体）から構成される。そして、上記付勢バネ２７は、手摺支持軸１２を反手摺１１側に付勢することにより、常時に手摺支持軸１２を、大径部１２ａが座金１４に接触する所定位置に係止させている。
【００２５】
ここで、上記構成を有する手摺装置８において、手摺１１と壁パネル２との間に子供の腕等が挟まってしまった場合には、手摺１１をかご室内側に引っ張ることにより、手摺１１と壁パネル２との間に挟まれた子供の腕等を外すことが可能となる。即ち、手摺１１をかご室内側に引っ張ることにより付勢バネ２７が圧縮され、付勢バネ２７が圧縮した分だけ手摺１１がかご室内側に移動する。なお、図５は、付勢バネ２７が圧縮されて手摺１１がかご室内側に移動した状態を示したものである。かかる動作により、手摺１１とかご室壁面との間に形成された隙間を広げて、腕等が挟まった子供を容易に救出することが可能となる。その他は、実施の形態１と同様の構成及び効果を奏する。
【図面の簡単な説明】
【００２６】
【図１】この発明におけるエレベータのかご室内を示す正面図である。
【図２】図１に示すかご室の実施の形態１におけるＡ−Ａ断面図である。
【図３】この発明の実施の形態１におけるかご室手摺装置の動作を説明する図２相当図である。
【図４】図１に示すかご室の実施の形態２におけるＡ−Ａ断面図である。
【図５】この発明の実施の形態２におけるかご室手摺装置の動作を説明する図４相当図である。
【符号の説明】
【００２７】
１  床板
２、３、４  壁パネル
５、６、７  巾木
８、９、１０  手摺装置
１１  手摺
１２  手摺支持軸
１２ａ  大径部
１２ｂ  小径部
１３  支持手段
１４  座金
１５  貫通孔
１６ａ、１６ｂ  溝
１７  抜け止め板
１８  ボルト
１９、２５  支持ブラケット
１９ａ、１９ｂ、１９ｃ、２５ａ  貫通孔
２０、２６  手摺位置保持手段
２１  係合ピン
２２  ナット
２３  リング座金
２４、２７  付勢バネ
【図１】
0004844025.tif 000002
【図２】
0004844025.tif 000003
【図３】
0004844025.tif 000004
【図４】
0004844025.tif 000005
【図５】
0004844025.tif 000006